Podtech/llm-jp-corpus-v4-ja_patent huggingface dataset:
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
以下の式
【化１】
2012233173.tif 000001
〔式中、Ｒ１とＲ２は、同じであってもよく、異なっていてもよく、Ｒ１およびＲ２は、それぞれ互いに独立して、（ｉ）直鎖または分岐、環状または非環状、置換または非置換、飽和または不飽和のアルキル基であってもよく、ヘテロ原子が、場合により、アルキル基に存在していてもよい、アルキル基、（ｉｉ）置換または非置換のアリールアルキル基であってもよく、アリールアルキル基のアルキル部分が、直鎖または分岐、環状または非環状、置換または非置換、飽和または不飽和であってもよく、ヘテロ原子が、場合により、アリールアルキル基のアリール部分またはアルキル部分のいずれかに存在していてもよい、アリールアルキル基、（ｉｉｉ）置換または非置換のアルキルアリール基であってもよく、アルキルアリール基のアルキル部分が、直鎖または分岐、環状または非環状、置換または非置換、飽和または不飽和であってもよく、ヘテロ原子が、場合により、アルキルアリール基のアリール部分またはアルキル部分のいずれかに存在していてもよい、アルキルアリール基、または（ｉｖ）置換または非置換の芳香族基であってもよく、ヘテロ原子が、場合により、芳香族基に存在していてもよい、芳香族基であり、但し、Ｒ１およびＲ２のうち、少なくとも１つが芳香族基である〕
を有し、融点が６５℃〜１５０℃である、少なくとも１種類の結晶性要素と；
少なくとも１種類のアモルファス要素と；
任意要素の着色剤とを含む、転相インク。
【請求項２】
前記少なくとも１種類の結晶性要素は、結晶化温度が、６５℃より高く、１４０℃未満である、請求項１に記載の転相インク。
【請求項３】
前記転相インクは、１４０℃の吐出温度で粘度が０．５〜１０センチポイズである、請求項１または２に記載の転相インク。
【請求項４】
Ｒ１およびＲ２のうち、少なくとも１つが以下の式
【化２】
2012233173.tif 000002
を有し、式中、
【化３】
2012233173.tif 000003
は、化合物に対するＲ１基およびＲ２基の接続点をあらわす、請求項１〜３のいずれか一項に記載の転相インク。
【請求項５】
Ｒ１およびＲ２が、それぞれ芳香族基である、請求項１〜３のいずれか一項に記載の転相インク。
【請求項６】
前記少なくとも１種類の結晶性要素が、以下の式
【化４】
2012233173.tif 000004
を有する化合物である、請求項１〜３のいずれか一項に記載の転相インク。
【請求項７】
前記アモルファス要素が、以下の式を有する化合物であり、
【化５】
2012233173.tif 000005
式中、Ｒ３、Ｒ４およびＲ５は、同じであってもよく、異なっていてもよく、Ｒ３、Ｒ４およびＲ５は、それぞれ互いに独立して、（ｉ）直鎖または分岐、環状または非環状、置換または非置換、飽和または不飽和であってもよく、ヘテロ原子が、アルキル基に存在していてもよく、存在していなくてもよい、アルキル基；（ｉｉ）置換または非置換であってもよく、ヘテロ原子が、アリール基に存在していてもよく、存在していなくてもよい、アリール基；（ｉｉｉ）置換または非置換であってもよく、アリールアルキル基のアルキル部分が、直鎖または分岐、環状または非環状、置換または非置換、飽和または不飽和であってもよく、ヘテロ原子が、アリールアルキル基のアリール部分またはアルキル部分のいずれかに存在していてもよく、存在していなくてもよい、アリールアルキル基；または、（ｉｖ）置換または非置換であってもよく、アルキルアリール基のアルキル部分が、直鎖または分岐、環状または非環状、置換または非置換、飽和または不飽和であってもよく、ヘテロ原子が、アルキルアリール基のアリール部分またはアルキル部分のいずれかに存在していてもよく、存在していなくてもよい、アルキルアリール基である、請求項１〜６のいずれか一項に記載の転相インク。
【請求項８】
Ｒ３、Ｒ４およびＲ５が同じである、請求項７に記載の転相インク。
【請求項９】
前記アモルファス要素が、以下の式を有する化合物である、請求項７に記載の転相インク。
【化６】
2012233173.tif 000006
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
非晶質構成成分であって、この非晶質構成成分が、式
【化１】
2012233172.tif 000001
を有するクエン酸のエステルであり、式中、Ｒ１、Ｒ２、およびＲ３はそれぞれ互いに独立に、アルキル部分が直鎖でも分岐でも環状でもよく、飽和でも不飽和でもよく、置換でも非置換でもよい、１〜４０個の炭素原子を有するアルキル基、あるいは置換または非置換の芳香族またはヘテロ芳香族基、およびこれらの混合物からなる群から選択される成分と、
結晶性構成成分であって、この結晶性構成成分が、次の構造、
【化２】
2012233172.tif 000002
を有する脂肪族直鎖二酸のエステルであり、式中Ｒ４は、置換または非置換アルキル鎖であってもよく、−（ＣＨ２）１−〜−（ＣＨ２）１２−からなる群から選択され、式中、Ｒ５およびＲ６は、それぞれ互いに独立に、アルキル部分が直鎖でも分岐でも環状でもよく、飽和でも不飽和でもよく、置換でも非置換でもよい、１〜４０個の炭素原子を有するアルキル基、あるいは置換または非置換の芳香族またはヘテロ芳香族基、およびこれらの混合物からなる群から選択される成分と、
着色剤と、からなる、相転移インク。
【請求項２】
前記結晶性構成成分および前記非晶質構成成分が、６５：３５〜９５：５の重量比にてブレンドされる、請求項１に記載の相転移インク。
【請求項３】
前記結晶性構成成分および前記非晶質構成成分が、７０：３０〜９０：１０の重量比でブレンドされる、請求項２に記載の相転移インク。
【請求項４】
前記結晶性構成成分が、前記相転移インクの総重量の６０重量％〜９５重量％の量で存在する、請求項１〜請求項３のいずれか一項に記載の相転移インク。
【請求項５】
前記非晶質構成成分が、前記相転移インクの総重量の５重量％〜４０重量％の量で存在する、請求項１-〜請求項４のいずれか一項に記載の相転移インク。
【請求項６】
前記着色剤が、顔料、染料またはこれらの混合物からなる群から選択される、請求項１〜請求項５のいずれか一項に記載の相転移インク。
【請求項７】
前記結晶性構成成分が、１４０℃の温度にて０．５〜１０ｃｐｓの粘度を有する、請求項１〜請求項６のいずれか一項に記載の相転移インク。
【請求項８】
前記結晶性構成成分が、１４０℃の温度で１〜１０ｃｐｓの粘度を有する、請求項７に記載の相転移インク。
【請求項９】
前記結晶性構成成分が室温で結晶性状態である、請求項１〜請求項８のいずれか一項に記載の相転移インク。
【請求項１０】
前記非晶質構成成分が、１４０℃の温度で１〜１００ｃｐｓの粘度を有する、請求項１〜請求項９のいずれか一項に記載の相転移インク。
【請求項１１】
前記非晶質構成成分が、室温にて少なくとも１０６ｃｐｓの粘度を有する、請求項１〜請求項１０のいずれか一項に記載の相転移インク。
【請求項１２】
１４０℃の温度にて１５ｃｐｓ未満の粘度を有する、請求項１〜請求項１１のいずれか一項に記載の相転移インク。
【請求項１３】
２０〜２７℃の温度にて１０６ｃｐｓを超える粘度を有する、請求項１〜請求項１２のいずれか一項に記載の相転移インク。
【請求項１４】
前記非晶質構成成分が、１０００ｇ／ｍｏｌ未満の分子量を有する、請求項１〜請求項１３のいずれか一項に記載の相転移インク。
【請求項１５】
前記非晶質構成成分が、３００〜１０００ｇ／ｍｏｌの分子量を有する、請求項１４に記載の相転移インク。
【請求項１６】
前記非晶質構成成分が１０〜５０℃のＴｇ値を有する、請求項１〜請求項１５のいずれか一項に記載の相転移インク。
【請求項１７】
非晶質構成成分であって、この非晶質構成成分が、式
【化５】
2012233172.tif 000003
を有する、少なくとも１つのアルコールを用いたエステル化反応によって合成されるクエン酸のエステルであり、式中、Ｒ１、Ｒ２、およびＲ３はそれぞれ互いに独立に、アルキル部分が直鎖でも分岐でも環状でもよく、飽和でも不飽和でもよく、置換でも非置換でもよい、１〜４０個の炭素原子を有するアルキル基、あるいは置換または非置換の芳香族またはヘテロ芳香族基、およびこれらの混合物からなる群から選択され、クエン酸と反応させるための前記アルコールが、
【化６】
2012233172.tif 000004
およびこれらの混合物からなる群から選択される、成分と、
結晶性構成成分であって、この結晶性構成成分が、次の構造、
【化７】
2012233172.tif 000005
を有する、少なくとも１つのアルコールを用いたエステル化反応によって合成される脂肪族直鎖二酸のエステルであり、式中Ｒ４は、置換または非置換アルキル鎖であってもよく、−（ＣＨ２）１−〜−（ＣＨ２）１２−からなる群から選択され、式中、Ｒ５およびＲ６は、それぞれ互いに独立に、アルキル部分が直鎖でも分岐でも環状でもよく、飽和でも不飽和でもよく、置換でも非置換でもよい、１〜４０個の炭素原子を有するアルキル基、あるいは置換または非置換の芳香族またはヘテロ芳香族基、およびこれらの混合物からなる群から選択される成分と、
任意の着色剤とを含む相転移インク。
【請求項１８】
前記脂肪族直鎖二酸のエステルを形成するために前記脂肪族直鎖二酸および脂肪族直鎖酸塩化物と反応させる前記アルコールが、フェノール、ｐ−クレゾール、４−メトキシフェノール、４−メチルベンジルアルコール、４−メトキシベンジルアルコールおよびこれらの混合物からなる群から選択される、請求項１７に記載の相転移インク。
【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
非晶質構成成分と、
相転移インクキャリアと、
を含む相転移インクであって、前記非晶質構成成分が、
【化１】
2012233159.tif 000001
式を有するクエン酸エステルであり、
前記非晶質構成成分が、クエン酸を、Ｒ１−ＯＨ、Ｒ２−ＯＨ、およびＲ３−ＯＨの少なくとも１つと反応させて得られ、Ｒ１−ＯＨ、Ｒ２−ＯＨ、およびＲ３−ＯＨがそれぞれ互いに独立に、
【化２】
2012233159.tif 000002
およびこれらの混合物からなる群から選択される、
相転移インク。
【請求項２】
前記非晶質構成成分が、前記相転移インクの総重量の５重量％〜４０重量％の量で存在する、請求項１に記載の相転移インク。
【請求項３】
前記相転移インクキャリアが、前記相転移インクの総重量の６０重量％〜９５重量％の量で存在する、請求項１に記載の相転移インク。
【請求項４】
顔料、染料またはこれらの混合物からなる群から選択される着色剤をさらに含む、請求項１に記載の相転移インク。
【請求項５】
前記相転移インクキャリアが結晶性である、請求項１に記載の相転移インク。
【請求項６】
前記結晶性／非晶質比が６０／４０〜９５／５である、請求項５に記載の相転移インク。
【請求項７】
非晶質構成成分と、
結晶性相転移インクキャリアと、
を含む相転移インクであって、前記非晶質構成成分が、式
【化３】
2012233159.tif 000003
を有するクエン酸のエステルであって、前記非晶質構成成分が、クエン酸を、Ｒ１−ＯＨ、Ｒ２−ＯＨ、およびＲ３−ＯＨの少なくとも１つと反応させて得られ、ここで、Ｒ１−ＯＨ、Ｒ２−ＯＨ、およびＲ３−ＯＨがそれぞれ互いに独立に、
【化４】
2012233159.tif 000004
およびこれらの混合物からなる群から選択される、相転移インク。
【請求項８】
１４０℃の温度にて１５ｃｐｓ未満の粘度を有する、請求項７に記載の相転移インク。
【請求項９】
室温にて約１０６ｃｐｓを超える粘度を有する、請求項７に記載の相転移インク。
【請求項１０】
１００〜１４０℃の噴出温度を有する、請求項７に記載の相転移インク。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
少なくとも、１４０℃での粘度が１２ｃｐｓ未満、室温での粘度が１×１０６ｃｐｓより大きい結晶性要素と；
少なくとも、１４０℃での粘度が１００ｃｐｓ未満、室温での粘度が１×１０６ｃｐｓより大きいアモルファス要素とを含み、前記結晶性要素が、下記化合物、
【化１】
2012233154.tif 000001
【化２】
2012233154.tif 000002
【化３】
2012233154.tif 000003
【化４】
2012233154.tif 000004
これらの立体異性体およびこれらの混合物からなる群から選択される、転相インク。
【請求項２】
前記結晶性要素およびアモルファス要素を、それぞれ６５：３５〜９５：５の重量比でブレンドする、請求項１に記載の転相インク。
【請求項３】
前記結晶性要素が、示差走査熱量測定によって結晶化ピーク（Ｔｃｒｙｓ）および溶融（Ｔｍｅｌｔ）ピークを示し、ピーク間の差（Ｔｍｅｌｔ−Ｔｃｒｙｓ）が５５℃未満である、請求項１に記載の転相インク。
【請求項４】
前記結晶性要素は、融点が６５℃よりも高い、請求項１に記載の転相インク。
【請求項５】
前記アモルファス要素は、室温での粘度が少なくとも１０６ｃｐｓである、請求項１に記載の転相インク。
【請求項６】
前記アモルファス要素は、分子量が１０００ｇ／ｍｏｌ未満である、請求項１に記載の転相インク。
【請求項７】
前記アモルファス要素は、Ｔｇ値が１０〜５０℃である、請求項１に記載の転相インク。
【請求項８】
少なくとも、１４０℃での粘度が１２ｃｐｓ未満、室温での粘度が１×１０６ｃｐｓより大きい結晶性要素と；
少なくとも、１４０℃での粘度が１００ｃｐｓ未満、室温での粘度が１×１０６ｃｐｓより大きいアモルファス要素とを含み、前記アモルファス要素が、下記化合物、
【化５】
2012233154.tif 000005
【化６】
2012233154.tif 000006
【化７】
2012233154.tif 000007
【化８】
2012233154.tif 000008
これらの立体異性体およびこれらの混合物からなる群から選択される、転相インク。
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
少なくとも非晶質構成成分と、少なくとも結晶性構成成分と、を含む相転移インクであって、
前記非晶質構成成分が、次式を有するクエン酸のエステルであり、
【化１】
2012233167.tif 000001
前記非晶質構成成分が、クエン酸をＲ１−ＯＨ、Ｒ２−ＯＨ、およびＲ３−ＯＨの少なくとも１つと反応させることによって得られ、
Ｒ１−ＯＨ、Ｒ２−ＯＨ、およびＲ３−ＯＨが、それぞれ互いに独立に、
【化２】
2012233167.tif 000002
およびこれらの混合物からなる群から選択され、
前記結晶性構成成分が、次の構造を有するアミドであり、
【化３】
2012233167.tif 000003
式中、Ｒ４およびＲ５はそれぞれ互いに独立に、アルキル部分が直鎖、分岐または環状の飽和または不飽和の置換または非置換の１個〜４０個の炭素原子を有するアルキル部分であってよいアルキル基、置換または非置換の芳香族またはヘテロ芳香族基、およびこれらの混合物からなる群から選択される、
相転移インク。
【請求項２】
前記非晶質構成成分が、前記相転移インクの総重量の５重量％〜４０重量％の量で存在し、前記結晶性構成成分が、前記相転移インクの総重量の６０重量％〜９５重量％の量で存在する、請求項１に記載の相転移インク。
【請求項３】
前記結晶性構成成分および前記非晶質構成成分が、１．５〜２０の重量比でブレンドされる、請求項１に記載の相転移インク。
【請求項４】
顔料、染料またはこれらの混合物からなる群から選択される着色剤をさらに含む、請求項１に記載の相転移インク。
【請求項５】
前記結晶性構成成分が、１４０℃の温度にて１ｃｐｓ〜１０ｃｐｓの粘度を有する、請求項１に記載の相転移インク。
【請求項６】
前記非晶質構成成分が、１４０℃の温度で１ｃｐｓ〜１００ｃｐｓの粘度を有する、請求項１に記載の相転移インク。
【請求項７】
１４０℃の温度にて１５ｃｐｓ未満の粘度を有する、請求項１に記載の相転移インク。
【請求項８】
室温にて１０６ｃｐｓを超える粘度を有する、請求項１に記載の相転移インク。
【請求項９】
少なくとも非晶質構成成分と、少なくとも結晶性構成成分と、を含む相転移インクであって、
前記非晶質構成成分が、次式を有するクエン酸のエステルであり、
【化４】
2012233167.tif 000004
前記非晶質構成成分が、クエン酸をＲ１−ＯＨ、Ｒ２−ＯＨ、およびＲ３−ＯＨの少なくとも１つと反応させることによって得られ、
Ｒ１−ＯＨ、Ｒ２−ＯＨ、およびＲ３−ＯＨが、それぞれ互いに独立に、
【化５】
2012233167.tif 000005
およびこれらの混合物からなる群から選択され、
前記結晶性構成成分が、次の構造を有するアミドであり、
【化６】
2012233167.tif 000006
式中、Ｒ４およびＲ５はそれぞれ互いに独立に、アルキル部分が直鎖、分岐または環状の飽和または不飽和の置換または非置換の１個〜４０個の炭素原子を有するアルキル部分であってよいアルキル基、置換または非置換の芳香族またはヘテロ芳香族基、およびこれらの混合物からなる群から選択され、
前記相転移インクが、６５℃〜１５０℃のＴｍｅｌｔ、および６５℃〜１４０℃のＴｃｒｙｓを有する、
相転移インク。
【請求項１０】
前記結晶性構成成分が、
【化７】
2012233167.tif 000007
からなる群から選択される、請求項１に記載の相転移インク。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
モノアゾ顔料及び樹脂を含有してなり、かつ、熱エネルギーの作用により記録ヘッドから吐出されるインクジェット記録方式に用いられるインクジェット用のインクであって、
前記モノアゾ顔料が、粒子表面に直接又は他の原子団を介してアニオン性基が結合している自己分散顔料であり、かつ、その表面電荷量が５．９×１０-2ｍｍｏｌ／ｇ以上９．８×１０-2ｍｍｏｌ／ｇ以下であり、
前記樹脂の酸価が、１００ｍｇＫＯＨ／ｇ以上１６０ｍｇＫＯＨ／ｇ以下であり、
前記インク中の、前記樹脂の含有量（質量％）が、前記モノアゾ顔料の含有量（質量％）に対する質量比率で、０．０５倍以上０．２５倍以下であることを特徴とするインク。
【請求項２】
前記インクが、さらに水溶性有機溶剤を含有し、前記水溶性有機溶剤が含窒素化合物を含む請求項１に記載のインク。
【請求項３】
前記インク中の、前記水溶性有機溶剤の含有量（質量％）が、インク全質量を基準として、３０．０質量％以下である請求項２に記載のインク。
【請求項４】
前記インク中の、前記水溶性有機溶剤の含有量（質量％）が、インク全質量を基準として、１６．５質量％以下である請求項２又は３に記載のインク。
【請求項５】
前記樹脂が、親水性ユニット及び疎水性ユニットを有し、
前記疎水性ユニットが、スチレンに由来するユニットを含む請求項１乃至４のいずれか１項に記載のインク。
【請求項６】
前記インク中の前記モノアゾ顔料の含有量（質量％）が、インク全質量を基準として、２．５質量％以上１０．０質量％以下である請求項１乃至５のいずれか１項に記載のインク。
【請求項７】
前記他の原子団（−Ｒ−）が、炭素原子数１乃至１２の直鎖又は分岐のアルキレン基、アリーレン基、アミド基、スルホン基、アミノ基、カルボニル基、エステル基、エーテル基、及び、これらの基を組み合わせた基からなる群より選ばれる少なくとも１種である請求項１乃至６のいずれか１項に記載のインク。
【請求項８】
前記モノアゾ顔料の種類が、Ｃ．Ｉ．ピグメントイエロー１、Ｃ．Ｉ．ピグメントイエロー７４、及び、Ｃ．Ｉ．ピグメントレッド２６９から選ばれる少なくとも１種である請求項１乃至７のいずれか１項に記載のインク。
【請求項９】
前記モノアゾ顔料の種類が、Ｃ．Ｉ．ピグメントイエロー７４である請求項１乃至８のいずれか１項に記載のインク。
【請求項１０】
前記インク中の前記樹脂の含有量（質量％）が、インク全質量を基準として、１．０質量％以上３．０質量％以下である請求項１乃至９のいずれか１項に記載のインク。
【請求項１１】
前記インクの２５℃における表面張力が、３６ｍＮ／ｍ以上４０ｍＮ／ｍ以下である請求項１乃至１０のいずれか１項に記載のインク。
【請求項１２】
インクと、前記インクを収容するインク収容部とを有するインクカートリッジであって、
前記インクが、請求項１乃至１１のいずれか１項に記載のインクであることを特徴とするインクカートリッジ。
【請求項１３】
熱エネルギーの作用によりインクジェット方式の記録ヘッドからインクを吐出させて記録媒体に画像を記録するインクジェット記録方法であって、
前記インクが、請求項１乃至１１のいずれか１項に記載のインクであることを特徴とするインクジェット記録方法。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
水溶性樹脂によって分散されている顔料を含有してなるインクと、色材を含有せず、多価金属イオン及び界面活性剤を含有してなる反応液との組み合わせを有するインクジェット用のインクと反応液とのセットであって、
前記インクの表面張力が、３８ｍＮ／ｍ以下であり、
前記反応液中の前記多価金属イオンの含有量（μｍｏｌ／ｇ）が、前記インク中の前記水溶性樹脂に由来する酸性基の量（μｍｏｌ／ｇ）に対するモル比率で、１０．０倍以上であり、
前記反応液中の前記界面活性剤が、直鎖一級アルコール、直鎖二級アルコール及びイソアルキルアルコールからなる群より選ばれる高級アルコールのエチレンオキサイド付加物であり、かつ、そのグリフィン法により求められるＨＬＢ値が１３．０以上であり、
前記反応液中の前記界面活性剤の含有量（質量％）が、前記インク中の前記顔料及び前記水溶性樹脂の合計含有量（質量％）に対する質量比率で、０．１５倍以上であることを特徴とするインクと反応液とのセット。
【請求項２】
前記多価金属イオンが、Ｃａ2+、Ａｌ3+及びＹ3+からなる群より選ばれる少なくとも１種である請求項１に記載のインクと反応液とのセット。
【請求項３】
前記界面活性剤が、ポリオキシエチレンセチルエーテル、ポリオキシエチレンオレイルエーテル、ポリオキシエチレンベヘニルエーテル、ポリオキシエチレンイソステアリルエーテル、ポリオキシエチレンイソセチルエーテル、ポリオキシエチレンオレイルエーテル、ポリオキシエチレンラウリルエーテル、及びポリオキシエチレン２級トリデシルエーテルからなる群より選ばれる少なくとも１種である請求項１又は２に記載のインクと反応液とのセット。
【請求項４】
前記高級アルコールの炭素数が１２以上２２以下である請求項１乃至３のいずれか１項に記載のインクと反応液とのセット。
【請求項５】
前記高級アルコールの炭素数が１６以上である請求項１乃至４のいずれか１項に記載のインクと反応液とのセット。
【請求項６】
前記インクの表面張力が、２５ｍＮ／ｍ以上である請求項１乃至５のいずれか１項に記載のインクと反応液とのセット。
【請求項７】
前記反応液中の前記多価金属イオンの含有量（μｍｏｌ／ｇ）が、前記インク中の前記水溶性樹脂に由来する酸性基の量（μｍｏｌ／ｇ）に対するモル比率で、５０．０倍以下である請求項１乃至６のいずれか１項に記載のインクと反応液とのセット。
【請求項８】
前記界面活性剤のＨＬＢ値が、２０．０以下である請求項１乃至７のいずれか１項に記載のインクと反応液とのセット。
【請求項９】
前記反応液中の前記界面活性剤の含有量（質量％）が、前記インク中の前記顔料及び前記水溶性樹脂の合計含有量（質量％）に対する質量比率で、１．００倍以下である請求項１乃至８のいずれか１項に記載のインクと反応液とのセット。
【請求項１０】
前記反応液が、解離により前記多価金属イオンを生じさせるための多価金属塩を含有し、前記反応液中の前記多価金属塩の含有量（質量％）が、反応液全質量を基準として、３．０質量％以上２０．０質量％以下である請求項１乃至９のいずれか１項に記載のインクと反応液とのセット。
【請求項１１】
前記水溶性樹脂の酸価が、８０ｍｇＫＯＨ／ｇ以上３００ｍｇＫＯＨ／ｇ以下である請求項１乃至１０のいずれか１項に記載のインクと反応液とのセット。
【請求項１２】
前記反応液中の前記界面活性剤の含有量（質量％）が、反応液全質量を基準として、０．１０質量％以上２．５質量％以下である請求項１乃至１１のいずれか１項に記載のインクと反応液とのセット。
【請求項１３】
前記インク中の前記顔料の含有量（質量％）が、インク全質量を基準として０．１質量％以上１５．０質量％以下である請求項１乃至１２のいずれか１項に記載のインクと反応液とのセット。
【請求項１４】
前記インク中の前記水溶性樹脂の含有量（質量％）が、インク全質量を基準として、０．１質量％以上５．０質量％以下である請求項１乃至１３のいずれか１項に記載のインクと反応液とのセット。
【請求項１５】
前記インクのｐＨが６．０以上９．５以下であり、前記水溶性樹脂が、前記インクのｐＨよりもｐＫａが低い酸性基を有する請求項１乃至１４のいずれか１項に記載のインクと反応液とのセット。
【請求項１６】
インクジェット方式の記録ヘッドからインク及び反応液をそれぞれ吐出させて、記録媒体において、前記インク及び前記反応液を互いに接触させて画像を形成する画像形成方法であって、
前記インク及び前記反応液に、請求項１乃至１５のいずれか１項に記載のインクと反応液とのセットを用いることを特徴とする画像形成方法。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
結晶性構成成分と、
ジ−Ｌ−メンチルＬ−タルトレート、ジ−ＤＬ−メンチルＬ−タルトレート、ジ−Ｌ−メンチルＤＬ−タルトレート、ジ−ＤＬ−メンチルＤＬ−タルトレートならびにそれらの異性体および混合物からなる群から選択される非晶質構成成分と、
を含む相転移インク。
【請求項２】
前記非晶質構成成分が、前記相転移インクの総重量の５重量％〜４０重量％の量で存在する、請求項１に記載の相転移インク。
【請求項３】
前記結晶性構成成分が、前記相転移インクの総重量の６０重量％〜９５重量％の量で存在する、請求項１または請求項２に記載の相転移インク。
【請求項４】
前記結晶性構成成分と前記非晶質構成成分とが１．５〜２０の重量比でブレンドされる請求項１〜請求項３のいずれか１項に記載の相転移インク。
【請求項５】
顔料、染料、及びこれらの混合物からなる群から選択される着色剤をさらに含む、請求項１〜請求項４のいずれか１項に記載の相転移インク。
【請求項６】
前記非晶質構成成分が室温にて１０６ｃｐｓを超える粘度を有する、請求項１〜請求項５のいずれか１項に記載の相転移インク。
【請求項７】
１４０℃の温度にて１５ｃｐｓ未満の粘度を有する、請求項１〜請求項６のいずれか１項に記載の相転移インク。
【請求項８】
室温にて１０６ｃｐｓを超える粘度を有する、請求項１〜請求項７のいずれか１項に記載の相転移インク。
【請求項９】
結晶性構成成分と、
酒石酸と少なくとも１つのアルコールとのエステル化反応によって合成される酒石酸のエステルである、ジ−Ｌ−メンチルＬ−タルトレート、ジ−ＤＬ−メンチルＬ−タルトレート、ジ−Ｌ−メンチルＤＬ−タルトレート、ジ−ＤＬ−メンチルＤＬ−タルトレートならびにそれらの異性体および混合物からなる群から選択される非晶質構成成分と、
を含む相転移インク。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
溶融状態の少なくとも１つの結晶性構成成分を提供するステップと、
溶融状態の少なくとも１つの非晶質構成成分を提供するステップと、
前記結晶性構成成分および前記非晶質構成成分を一緒に撹拌して、相転移インクのための混合物を形成するステップと、
相転移インクのための前記混合物を冷却するステップとを含み、前記結晶性構成成分および前記非晶質構成成分はそれぞれ酒石酸のエステルである、相転移インクを調製する方法。
【請求項２】
冷却する前に前記混合物に着色剤が更に添加される、請求項１に記載の方法。
【請求項３】
前記結晶性構成成分および前記非晶質構成成分が５０：５０〜９５：５の重量比で存在する、請求項１に記載の方法。
【請求項４】
前記結晶性構成成分および前記非晶質構成成分が６５：３５〜９０：１０の重量比で存在する、請求項３に記載の方法。
【請求項５】
前記結晶性構成成分および前記非晶質構成成分が７０：３０〜９０：１０の重量比で存在する、請求項４に記載の方法。
【請求項６】
前記非晶質構成成分が、ジ−Ｌ−メンチルＬ−タルトレート、ジ−ＤＬ−メンチルＬ−タルトレート、ジ−Ｌ−メンチルＤＬ−タルトレート、ジ−ＤＬ−メンチルＤＬ−タルトレート、ならびにそれらのあらゆる立体異性体および混合物からなる群から選択される、請求項１に記載の方法。
【請求項７】
前記結晶性構成成分が、ジベンジルＬ−タルトレート、ジフェネチルＬ−タルトレート、ビス（３−フェニル−１−プロピル）Ｌ−タルトレート、ビス（２−フェノキシエチル）Ｌ−タルトレート、ジフェニルＬ−タルトレート、ビス（４−メチルフェニル）Ｌ−タルトレート、ビス（４−メトキシフェニル）Ｌ−タルトレート、ビス（４−メチルベンジル）Ｌ−タルトレート、ビス（４−メトキシベンジル）Ｌ−タルトレート、ジシクロヘキシルＬ−タルトレート、ビス（４−ｔｅｒｔ−ブチルシクロヘキシル）Ｌ−タルトレート、ならびにそれらのあらゆる立体異性体および混合物からなる群から選択される、請求項１に記載の方法。
【請求項８】
溶融状態の少なくとも１つの結晶性構成成分を提供するステップと、
溶融状態の少なくとも１つの非晶質構成成分を提供するステップと、
前記結晶性構成成分および前記非晶質構成成分を一緒に撹拌して、相転移インクのための混合物を形成するステップと、
相転移インクのための前記混合物を冷却するステップとを含み、前記結晶性構成成分および前記非晶質構成成分はそれぞれアルコールとのエステル化反応によって製造される酒石酸のエステルである、相転移インクを調製する方法。
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
相変化インク組成物であって、該インク組成物は：
任意の着色剤と；
少なくとも１つの結晶性相変化剤と；
非晶質性結合剤と；
任意の１つ以上の添加物と；を含み、ここで
該相変化インク組成物の少なくとも１つの非晶質性結合剤、少なくとも１つの相変化剤、および／または任意の１つ以上の添加物は、１つ以上の一般式ＩＩであって
【化１】
2012233169.tif 000001
（ＩＩ）
式中、
Ｒ４は、アルキル基、アリール基、アルキルアリール基、または芳香族基であり；
Ｒ５は、アルキル基、アリール基、アルキルアリール基、芳香族基、水素、−（Ｃ＝Ｏ）−（ＣＨ２）ｓＣＨ３であって、式中ｓは、ゼロであるか、もしくは１〜５０の範囲の整数であるか、または
【化２】
2012233169.tif 000002
であって、式中、Ｒｙは、Ｈ、ＯＨ、ＯＣＨ３、Ｃｌ、Ｂｒ、Ｆ、Ｉ、ＮＨ（ＣＯＣＨ３）、ＣＨ３、ＣＨ２ＣＨ３、イソプロピル、ｔ−ブチル、ＣＯ２ＣＨ３、ＣＯ２Ｈ、１〜６６個の炭素を有するアルキル基もしくは１〜８個の炭素を有するアルコキシ基、または−（Ｃ＝Ｏ）−ＮＨ−Ｒｚであって、式中、Ｒｚは式−（ＣＨ２）ｔＣＨ３の直鎖状アルキル基であって、式中、ｔは、ゼロであるかもしくは１〜３６の整数である基か、または式中、Ｒｚは、６〜２０個の炭素原子を含むアルキルアリール基であるか；
Ｒ６は、アルキレン基、アリーレン基、アリールアルキレン基、アルキルアリーレン基、
【化３】
2012233169.tif 000003
であって、式中ｎは、６〜３６の範囲の整数である基、
【化４】
2012233169.tif 000004
一般式Ｃ３６Ｈ６４＋ｕの分岐アルキレン基であり、式中、ｕは、０〜１０の範囲の整数である基か、
【化５】
2012233169.tif 000005
である化合物を含む、組成物。
【請求項２】
請求項１に記載の相変化インク組成物であって、前記相変化インク組成物が、以下によって示される１つ以上の化合物：
一般式Ｉであって
【化６】
2012233169.tif 000006
（Ｉ）
式中、
Ｒ１は、アルキレン基、アリーレン基、アリールアルキレン基、アルキルアリーレン基であり；かつ
Ｒ２は、アルキル基、アリール基、アルキルアリール基、芳香族基、水素、−（Ｃ＝Ｏ）−（ＣＨ２）ｓＣＨ３であり、ここでｓは、ゼロもしくは１〜５０の範囲の整数であるか、または
【化７】
2012233169.tif 000007
式中、Ｒｙは、Ｈ、ＯＨ、ＯＣＨ３、Ｃｌ、Ｂｒ、Ｆ、Ｉ、ＮＨ（ＣＯＣＨ３）、ＣＨ３、ＣＨ２ＣＨ３、イソプロピル、ｔ−ブチル、ＣＯ２ＣＨ３、ＣＯ２Ｈ、１〜６６個の炭素を有するアルキル基、もしくは１〜８個の炭素を有するアルコキシ基、または−（Ｃ＝Ｏ）−ＮＨ−Ｒｚであり、式中、Ｒｚは、式−（ＣＨ２）ｔＣＨ３の直鎖状アルキル基であって、ここでｔはゼロもしくは１〜３６の整数である基か、または式中、Ｒｚは、６〜２０個の炭素を含むアルキルアリール基である化合物か；
一般式ＩＩＩであって、
【化８】
2012233169.tif 000008
（ＩＩＩ）
式中ｍは、１〜１００の整数であり、式中
Ｒ７は、アルキル基、アリール基、アルキルアリール基、または芳香族基であり；かつ
Ｒ８は、アルキレン基、アリーレン基、アリールアルキレン基、アルキルアリーレン基、
【化９】
2012233169.tif 000009
であって、式中ｎは、６〜３６の範囲の整数である基、
一般式Ｃ３４Ｈ６０＋ｕの分岐アルキレン基であって、式中、ｕは、０〜１４の範囲の整数である基か、
【化１０】
2012233169.tif 000010
である化合物か；あるいは
一般式ＩＶであって、
【化１１】
2012233169.tif 000011
（ＩＶ）
式中、
Ｒ９は、アルキル基、アリール基、アルキルアリール基、もしくは芳香族基であり；
Ｒ１０、Ｒ１１、Ｒ１２およびＲ１３は同じであるかもしくは異なり、かつアルキル基、アリール基、アルキルアリール基、アルコキシ基、もしくは芳香族基、１〜６０個の炭素のヒドロキシアルキル、１〜６０個の炭素のアルキルエステル、またはアリールエステルであって、ここでＲ９、Ｒ１０、Ｒ１１、Ｒ１２およびＲ１３のうちの少なくとも１つは、芳香族基である、化合物；あるいは
それらの混合物、を含む、組成物。
【請求項３】
請求項１に記載の相変化インク組成物であって、前記相変化インク組成物が、以下からなる群から選択される一般式ＩＶによって示される１つ以上の化合物を含む、組成物。
【表１】
2012233169.tif 000012
【表２】
2012233169.tif 000013
【請求項４】
請求項１に記載の相変化インク組成物であって、前記結晶性相変化剤が、５０℃〜１２０℃の融点を有する結晶性オキサゾリン化合物である、組成物。
【請求項５】
請求項１に記載の相変化インク組成物であって、前記結晶性相変化剤が、１１０℃を超える温度で１〜２０センチポアズの粘性率を有する結晶性オキサゾリン化合物であるか、および前記非晶質性結合剤が、１１０℃を超える温度で２０〜５００センチポアズの粘性率を有する結晶性オキサゾリン化合物である、組成物。
【請求項６】
請求項１に記載の相変化インク組成物であって、前記結晶性相変化剤と非晶質性結合剤との間の重量比がそれぞれ９０：１０〜２５：７５である、組成物。
【請求項７】
請求項１に記載の相変化インク組成物であって、前記相変化インクが、６０℃未満の温度で固体である、組成物。
【請求項８】
請求項１に記載の相変化インク組成物であって、前記相変化インクが、５０℃未満の温度で１．０×１０６センチポアズを超える粘性率を有する、組成物。
【請求項９】
請求項１に記載の相変化インク組成物であって、前記結晶性相変化剤の融点が、６０℃〜１３０℃の範囲である、組成物。
【請求項１０】
請求項１に記載の相変化インク組成物であって、前記結晶性相変化剤の結晶化温度が、０℃〜１２０℃の範囲である、組成物。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
有機顔料、水溶性樹脂及び界面活性剤を含有してなるインクであって、
前記有機顔料が、ホスホン酸基を少なくとも含む官能基が粒子表面に結合している自己分散顔料であり、
前記水溶性樹脂の酸価が、１００ｍｇＫＯＨ／ｇ以上１６０ｍｇＫＯＨ／ｇ以下であり、
前記界面活性剤が、直鎖一級アルコール、直鎖二級アルコール及びイソアルキルアルコールからなる群より選ばれる高級アルコールのエチレンオキサイド付加物であり、かつ、前記界面活性剤のグリフィン法により求められるＨＬＢ値が１３．０以上であり、
インク中の、前記界面活性剤の含有量（質量％）が、前記水溶性樹脂の含有量（質量％）に対する質量比率で、０．０７倍以上０．７０倍以下であることを特徴とするインク。
【請求項２】
前記界面活性剤が、ポリオキシエチレンセチルエーテル、ポリオキシエチレンオレイルエーテル、ポリオキシエチレンイソステアリルエーテル、ポリオキシエチレン２級トリデシルエーテル、ポリオキシエチレンラウリルエーテル、ポリオキシエチレンベヘニルエーテル、及びポリオキシエチレンデシルテトラデシルエーテルからなる群より選ばれる少なくとも１種である請求項１に記載のインク。
【請求項３】
前記高級アルコールの炭素数が、１６以上２２以下である請求項１又は２に記載のインク。
【請求項４】
前記自己分散顔料の表面電荷量が、１．５μｍｏｌ／ｍ2を超えて８．０μｍｏｌ／ｍ2以下である請求項１乃至３のいずれか１項に記載のインク。
【請求項５】
前記インクがさらに、一般式（１）で表される水溶性有機溶剤を含有する請求項１乃至４のいずれか１項に記載のインク。
2012233163.tif 000001
【請求項６】
前記インク中の前記自己分散顔料の含有量（質量％）が、インク全質量を基準として、０．１質量％以上１０．０質量％以下である請求項１乃至５のいずれか１項に記載のインク。
【請求項７】
前記インク中の前記水溶性樹脂の含有量（質量％）が、インク全質量を基準として、１．０質量％以上５．０質量％以下である請求項１乃至６のいずれか１項に記載のインク。
【請求項８】
前記インク中の前記界面活性剤の含有量（質量％）が、インク全質量を基準として、０．１０質量％以上２．５質量％以下である請求項１乃至７のいずれか１項に記載のインク。
【請求項９】
前記インク中の前記水溶性樹脂の含有量（質量％）が、前記自己分散顔料の含有量（質量％）に対する質量比率で、０．２５倍以上０．７５倍以下である請求項１乃至８のいずれか１項に記載のインク。
【請求項１０】
前記自己分散顔料の前記官能基が、（ｉ）ホスホン酸基、又は、（ｉｉ）アルキレン基、アリーレン基、アミド基、スルホニル基、アミノ基、カルボニル基、エステル基、エーテル基、及びこれらの基を組み合わせた基からなる群より選ばれる他の原子団と、ホスホン酸基と、が結合した基である請求項１乃至９のいずれか１項に記載のインク。
【請求項１１】
前記ホスホン酸基のリン原子が炭素原子に結合しており、前記炭素原子にはヒドロキシ基が結合していない請求項１乃至１０のいずれか１項に記載のインク。
【請求項１２】
前記界面活性剤のＨＬＢ値が、２０．０以下である請求項１乃至１１のいずれか１項に記載のインク。
【請求項１３】
前記有機顔料が、アゾ、フタロシアニン、及びキナクリドンからなる群より選ばれる少なくとも１種である請求項１乃至１２のいずれか１項に記載のインク。
【請求項１４】
インクと、前記インクを収容するインク収容部とを有するインクカートリッジであって、
前記インクが、請求項１乃至１３のいずれか１項に記載のインクであることを特徴とするインクカートリッジ。
【請求項１５】
インクジェット方式の記録ヘッドからインクを吐出させて記録媒体に画像を記録するインクジェット記録方法であって、
前記インクが、請求項１乃至１３のいずれか１項に記載のインクであることを特徴とするインクジェット記録方法。
【手続補正２】
【補正対象書類名】明細書
【補正対象項目名】００３２
【補正方法】変更
【補正の内容】
【００３２】
＜インク＞
以下、本発明のインクを構成する成分について説明する。
（自己分散顔料）
本発明のインクを構成する色材は、ホスホン酸基を含む官能基が粒子表面に結合している自己分散顔料である。つまり、その粒子表面に結合している官能基がホスホン酸基である有機顔料や、官能基に他の原子団とホスホン酸基が含まれている有機顔料を用いる。本発明で用いることができる有機顔料の種類は特に限定されず、公知の有機顔料をいずれも用いることができる。具体的には、例えば、アゾ、フタロシアニン、キナクリドンなどの有機顔料が挙げられる。インク中の自己分散顔料の含有量（質量％）は、インク全質量を基準として、０．１質量％以上１０．０質量％以下、さらには０．２質量％以上１０．０質量％以下、特には２．０質量％以上６．０質量％以下であることが好ましい。インクには、前記顔料の他に公知の染料などその他の色材が含まれていてもよい。また、本発明においては、本発明の効果が得られる範囲で、別の自己分散顔料や、他の分散方式の顔料（樹脂分散顔料、マイクロカプセル顔料、樹脂結合型の自己分散顔料など）をさらに併用してもよい。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
顔料及び水溶性樹脂を含有してなるインクと、色材を含有せず、界面活性剤を含有してなり、かつ、酸性領域に緩衝能を有する反応液との組み合わせを有するインクジェット用のインクと反応液とのセットであって、
前記インク中の前記顔料が、粒子表面に直接又は他の原子団を介してアニオン性基が結合している自己分散顔料であり、かつ、顔料粒子の表面に結合している官能基の重量平均分子量が１，０００以下であり、
前記水溶性樹脂が、（メタ）アクリル酸に由来するユニットを有する共重合体であり、
前記反応液中の前記界面活性剤が、直鎖一級アルコール、直鎖二級アルコール及びイソアルキルアルコールからなる群より選ばれる高級アルコールのエチレンオキサイド付加物であり、かつ、そのグリフィン法により求められるＨＬＢ値が１３．０以上２０．０以下であり、
前記反応液中の前記界面活性剤の含有量（質量％）が、前記インク中の前記顔料及び前記水溶性樹脂の合計含有量（質量％）に対する質量比率で、０．２０倍以上であることを特徴とするインクと反応液とのセット。
【請求項２】
前記インク中の、前記水溶性樹脂の含有量（質量％）が、前記自己分散顔料の含有量（質量％）に対する質量比率で、０．２５倍以上である請求項１に記載のインクと反応液とのセット。
【請求項３】
前記インク中の、前記水溶性樹脂の含有量（質量％）が、前記自己分散顔料の含有量（質量％）に対する質量比率で、０．７５倍以下である請求項２に記載のインクと反応液とのセット。
【請求項４】
前記反応液が、緩衝剤を含有する請求項１乃至３のいずれか１項に記載のインクと反応液とのセット。
【請求項５】
前記緩衝剤が、カルボキシ基を有する有機酸であり、かつ、前記反応液のｐＨが３．５以上５．５以下である請求項４に記載のインクと反応液とのセット。
【請求項６】
前記カルボキシ基を有する有機酸が、２つのカルボキシ基を有する請求項５に記載のインクと反応液とのセット。
【請求項７】
前記カルボキシ基を有する有機酸が酸型の酸性基を有し、かつ、前記酸型の酸性基の量（μｍｏｌ／ｇ）が、前記インク中の前記水溶性樹脂が有するカルボキシ基の量（μｍｏｌ／ｇ）に対するモル比率で、８．０倍以上である請求項５又は６に記載のインクと反応液とのセット。
【請求項８】
前記カルボキシ基を有する有機酸が酸型の酸性基を有し、かつ、前記酸型の酸性基の量（μｍｏｌ／ｇ）が、前記インク中の前記水溶性樹脂が有するカルボキシ基の量（μｍｏｌ／ｇ）に対するモル比率で、１００．０倍以下である請求項７に記載のインクと反応液とのセット。
【請求項９】
前記反応液中の前記緩衝剤の含有量（質量％）が、反応液全質量を基準として、１．０質量％以上１５．０質量％以下である請求項４乃至８のいずれか１項に記載のインクと反応液とのセット。
【請求項１０】
前記インク中の前記水溶性樹脂の酸価が、１００ｍｇＫＯＨ／ｇ以上１８０ｍｇＫＯＨ／ｇ以下である請求項１乃至９のいずれか１項に記載のインクと反応液とのセット。
【請求項１１】
前記インク中の前記自己分散顔料の表面電荷量が、０．２０ｍｍｏｌ／ｇ以上５．０ｍｍｏｌ／ｇ以下である請求項１乃至１０のいずれか１項に記載のインクと反応液とのセット。
【請求項１２】
前記反応液中の前記高級アルコールの炭素数が１６以上２２以下である請求項１乃至１１のいずれか１項に記載のインクと反応液とのセット。
【請求項１３】
前記反応液中の前記界面活性剤の含有量（質量％）が、前記インク中の前記顔料及び前記水溶性樹脂の合計含有量（質量％）に対する質量比率で、１．００倍以下である請求項１乃至１２のいずれか１項に記載のインクと反応液とのセット。
【請求項１４】
前記反応液中の前記界面活性剤の含有量（質量％）が、反応液全質量を基準として、０．１０質量％以上３．５質量％以下である請求項１乃至１３のいずれか１項に記載のインクと反応液とのセット。
【請求項１５】
前記インク中の前記顔料の含有量（質量％）が、インク全質量を基準として０．１質量％以上１５．０質量％以下である請求項１乃至１４のいずれか１項に記載のインクと反応液とのセット。
【請求項１６】
前記インク中の前記水溶性樹脂の含有量（質量％）が、インク全質量を基準として、０．１質量％以上５．０質量％以下である請求項１乃至１５のいずれか１項に記載のインクと反応液とのセット。
【請求項１７】
前記界面活性剤が、ポリオキシエチレンセチルエーテル、ポリオキシエチレンオレイルエーテル、ポリオキシエチレンベヘニルエーテル、ポリオキシエチレンイソステアリルエーテル、ポリオキシエチレンイソセチルエーテル、ポリオキシエチレンオレイルエーテル、ポリオキシエチレンラウリルエーテル、及びポリオキシエチレン２級トリデシルエーテルからなる群より選ばれる少なくとも１種である請求項１乃至１６のいずれか１項に記載のインクと反応液とのセット。
【請求項１８】
インクジェット方式の記録ヘッドからインク及び反応液をそれぞれ吐出させて、記録媒体において、前記インク及び前記反応液を互いに接触させて画像を形成する画像形成方法であって、
前記インク及び前記反応液に、請求項１乃至１７のいずれか１項に記載のインクと反応液とのセットを用いることを特徴とする画像形成方法。
【手続補正２】
【補正対象書類名】明細書
【補正対象項目名】０００７
【補正方法】変更
【補正の内容】
【０００７】
上記の目的は、以下の本発明によって達成される。すなわち、本発明は、顔料及び水溶性樹脂を含有してなるインクと、色材を含有せず、界面活性剤を含有してなり、かつ、酸性領域に緩衝能を有する反応液との組み合わせを有するインクジェット用のインクと反応液とのセットであって、前記インク中の前記顔料が、粒子表面に直接又は他の原子団を介してアニオン性基が結合している自己分散顔料であり、かつ、顔料粒子の表面に結合している官能基の重量平均分子量が１，０００以下であり、前記水溶性樹脂が、（メタ）アクリル酸に由来するユニットを有する共重合体であり、前記反応液中の前記界面活性剤が、直鎖一級アルコール、直鎖二級アルコール及びイソアルキルアルコールからなる群より選ばれる高級アルコールのエチレンオキサイド付加物であり、かつ、そのグリフィン法により求められるＨＬＢ値が１３．０以上２０．０以下であり、前記反応液中の前記界面活性剤の含有量（質量％）が、前記インク中の前記顔料及び前記水溶性樹脂の合計含有量（質量％）に対する質量比率で、０．２０倍以上であることを特徴とする。
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
バスバー本体と、
バスバー本体に設けられた絶縁体のスペーサと
を有し、
前記バスバー本体は、前記バスバー本体を固定するための固定部材の一部が間挿される第１の貫通孔を形成する第１の貫通孔部を有し、
前記スペーサは、頭部と、前記頭部から延びた胴部と、前記頭部から前記胴部にかけて抜けた孔であって、前記固定部材の一部が間挿される第２の貫通孔を形成する第２の貫通孔部とを有し、
前記バスバー本体に前記スペーサが設けられた状態において、前記頭部は、前記第１の貫通孔の一端口の周縁領域の少なくとも一部分をカバーし、前記胴部は、前記第１の貫通孔部の内周面をカバーし、
前記胴部の先端と前記バスバー本体の一面とが略面一であり、
前記バスバー本体に対して前記スペーサが相対的に前記頭部の側へ移動する際に抵抗が生じるよう前記胴部の外周面が前記第１の貫通孔部の内周面に対して相対的に固着している、
バスバー。
【請求項２】
請求項１記載のバスバーであって、
前記バスバー本体の前記第１の貫通孔部の少なくとも一部が、前記スペーサの胴部の上端側の断面積よりも前記スペーサの下端側の断面積の方が広くなるように形成されている、
バスバー。
【請求項３】
請求項２記載のバスバーであって、
前記バスバー本体の前記第１の貫通孔部の少なくとも一部が、前記上端側よりも前記下端側の断面積が広くなるよう面取りが施されている、
バスバー。
【請求項４】
請求項３記載のバスバーであって、
前記バスバー本体の前記第１の貫通孔部が、前記上端側よりも前記下端側の断面積が広い円錐形状である、
バスバー。
【請求項５】
請求項３又は４記載のバスバーであって、
前記バスバー本体と前記スペーサとが一体成型により形成される、
バスバー。
【請求項６】
筐体と、
前記筐体内に固定されバスバーを含んだ回路と
を有し、
前記バスバーが、
バスバー本体と、
バスバー本体に設けられた絶縁体のスペーサと
を有し、
前記バスバー本体は、前記バスバーを前記筐体内に固定するための固定部材の一部が間挿される第１の貫通孔を形成する第１の貫通孔部を有し、
前記スペーサは、頭部と、前記頭部から延びた胴部と、前記頭部から前記胴部にかけて抜けた孔であって、前記固定部材の一部が間挿される第２の貫通孔を形成する第２の貫通孔部とを有し、
前記バスバー本体に前記スペーサが設けられた状態において、前記頭部は、前記第１の貫通孔の一端口の周縁領域の少なくとも一部分をカバーし、前記胴部は、前記第１の貫通孔部の内周面をカバーし、
前記胴部の先端と前記バスバー本体の一面とが略面一であり、その面と前記バスバーが固定される箇所との間に前記バスバー本体の熱を前記筐体に逃がすための伝熱シートが挟まれており、
前記バスバー本体に対して前記スペーサが相対的に前記頭部の側へ移動する際に抵抗が生じるよう前記胴部の外周面が前記第１の貫通孔部の内周面に対して相対的に固着している、
電子機器。